(57)【要約】  自動車選択的接触還元（ＳＣＲ）システムのアセンブリは、ＳＣＲシステムのセンサを受けるための保持部を含む。保持部は、管と、チャンバと、リテーナとを有する。管は、第１のＳＣＲラインから入る流体を受け、出る流体を第２のＳＣＲラインへ導く。通路が管内に配置される。チャンバは、ＳＣＲシステムのセンサを受けるための内部を有し、開口を有する。リテーナは、チャンバ内部にＳＣＲシステムのセンサを保持および解除するためのチャンバ開口を出入りして移動可能な部分を有する。
2015515567.tif 000002
【特許請求の範囲】
【請求項１】
自動車選択的接触還元（ＳＣＲ）システムのセンサ保持部であって、前記保持部は、
第１のＳＣＲラインから入る流体を受ける入口を有し、出る流体を第２のＳＣＲラインへ導く出口を有し、前記入口と前記出口との間の通路を有する管と、
前記通路にアクセス可能な内部を有するチャンバとを備え、前記内部はＳＣＲシステムのセンサを受け、前記チャンバは前記内部へ通じる開口を有し、前記保持部はさらに、
前記チャンバの前記開口において移動可能な部分を有するリテーナを備え、前記部分が前記開口内において前記内部へ向けて移動すると、前記部分は前記ＳＣＲシステムのセンサに当接し、前記ＳＣＲシステムのセンサを前記自動車ＳＣＲシステムのセンサ保持部内に保持し、前記部分が前記内部から離れる方向へ移動した場合、前記ＳＣＲシステムのセンサは前記自動車ＳＣＲシステムのセンサ保持部から解除することができる、保持部。
【請求項２】
前記入口は、前記通路に通じる開口を有し、前記出口は、前記通路に通じる開口を有し、前記自動車ＳＣＲシステムのセンサ保持部は、前記入口の前記開口内において移動可能な部分を有する入口リテーナをさらに備え、前記自動車ＳＣＲシステムのセンサ保持部は、前記出口の前記開口内において移動可能な部分を有する出口リテーナをさらに備える、請求項１に記載の自動車ＳＣＲシステムのセンサ保持部。
【請求項３】
前記第１のＳＣＲラインから入る流体を受ける入口接続部をさらに備え、前記入口接続部は、前記管の前記入口内に挿入され、前記センサ保持部は、出る流体を前記第２のＳＣＲラインに導く出口接続部をさらに備え、前記出口接続部は、前記管の前記出口内に挿入され、前記入口接続部は溝を有し、前記出口接続部は溝を有し、前記入口接続部が前記管の前記入口内に挿入された場合、前記入口リテーナの前記部分は前記入口の前記開口内で移動し、前記入口リテーナの前記部分は、前記入口接続部の前記溝に受けられ、前記入口リテーナが前記管の前記入口内に固定され、前記出口接続部が前記管の前記出口内に挿入された場合、前記出口リテーナの前記部分は前記出口の前記開口内で移動し、前記出口リテーナの前記部分は前記で土接続部の前記溝に受けられ、前記出口リテーナが前記管の前記出口内に固定される、請求項２に記載の自動車ＳＣＲシステムのセンサ保持部。
【請求項４】
前記通路は、前記入口と前記出口との間の範囲に沿って配置される湾曲部を有し、前記チャンバの前記内部は前記通路を流れる流体の流れに対する前記湾曲部の上流の位置で前記通路にアクセス可能である、請求項１に記載の自動車ＳＣＲシステムのセンサ保持部。
【請求項５】
前記入口または前記出口のうちの少なくとも一方は、その周りに巻かれる少なくとも１つの抵抗線を支持する少なくとも１つのリブを有する、請求項１に記載の自動車ＳＣＲシステムのセンサ保持部。
【請求項６】
前記チャンバは、前記ＳＣＲシステムのセンサを受けるために前記内部に通じる開上部を有する、請求項１に記載の自動車ＳＣＲシステムのセンサ保持部。
【請求項７】
前記チャンバは、前記通路において前記ＳＣＲシステムのセンサの一部を受けるために前記管の前記通路に対して開かれた開底部を有する、請求項１に記載の自動車ＳＣＲシステムのセンサ保持部。
【請求項８】
前記チャンバは、その外表面に配置される凹部を有し、前記リテーナは端部を有し、前記端部は、前記内部に向けて前記開口内を前記リテーナの前記部分が移動する前に前記凹部内に収容される、請求項１に記載の自動車ＳＣＲシステムのセンサ保持部。
【請求項９】
前記開口は、前記内部へ通じる第１の開口を含み、前記内部へ通じる第２の開口を含み、前記リテーナは、第１の脚部と第２の脚部とを有する線ばねであり、前記第１の脚部および前記第２の脚部は前記リテーナの前記部分を構成し、前記第１の脚部が前記第１の開口内において前記内部へ向けて移動し、前記第２の脚部が前記第２の開口内において前記内部へ向けて移動した場合、前記第１および第２の脚部は前記ＳＣＲシステムのセンサに当接し、前記ＳＣＲシステムのセンサを自動車ＳＣＲシステムのセンサ保持部内に保持し、前記第１および第２の脚部が前記内部から離れる方向に移動した場合、前記ＳＣＲシステムのセンサは自動車ＳＣＲシステムのセンサ保持部から解除することができる、請求項１に記載の自動車ＳＣＲシステムのセンサ保持部。
【請求項１０】
前記線ばねは、前記第１および第２の脚部の間に延在するブリッジ部を有し、前記ブリッジ部は前記チャンバの前記内部の外側に配置され、前記線ばねが前記チャンバによって担持される場合にユーザによって外部から点検可能である、請求項９に記載の自動車ＳＣＲシステムのセンサ保持部。
【請求項１１】
前記チャンバは、その外表面から延在するカバーを有し、前記リテーナは端部を有し、前記端部は、前記リテーナの前記部分が前記開口内において前記内部へ移動した後に概ね前記カバーの下方に配置される、請求項１に記載の自動車ＳＣＲシステムのセンサ保持部。
【請求項１２】
前記管に熱を放出するために前記管の少なくとも一部の周りに少なくとも１つの抵抗線をさらに備える、請求項１に記載の自動車ＳＣＲシステムのセンサ保持部。
【請求項１３】
前記ＳＣＲシステムのセンサは尿素品質センサである、請求項１に記載の自動車ＳＣＲシステムのセンサ保持部。
【請求項１４】
自動車選択的接触還元（ＳＣＲ）システムのアセンブリであって、前記アセンブリは、
管と、チャンバと、加熱要素とを含む保持部を備え、前記管は、入口と、出口と、前記入口と前記出口との間の通路とを有し、前記チャンバは、前記通路にアクセス可能な内部を有し、前記内部はＳＣＲシステムのセンサを受け、前記加熱要素は、前記管の少なくとも一部に熱を放出し、前記アセンブリはさらに、 
前記管の前記入口内に挿入される入口接続部と、
前記管の前記出口内に挿入される出口接続部と、
前記入口接続部に接続される第１のＳＣＲラインと、
前記出口接続部に接続される第２のＳＣＲラインとを備える、アセンブリ。
【請求項１５】
前記保持部の前記管を囲い、前記入口接続部を囲い、前記出口接続部を囲い、前記第１のＳＣＲラインの部分を囲い、前記第２のＳＣＲラインの部分を囲う、柔軟なカバーをさらに備える、請求項１４に記載の自動車ＳＣＲシステムのアセンブリ。
【請求項１６】
前記保持部は、前記保持部の前記内部に前記ＳＣＲシステムのセンサを解除可能に保持するために、相互接続構造を伴う迅速接続をさらに含む、請求項１４に記載の自動車ＳＣＲシステムのアセンブリ。
【請求項１７】
前記加熱要素は、前記管に熱を放出するために前記管の少なくとも一部の周りに巻かれる抵抗線である、請求項１４に記載の自動車ＳＣＲシステムのアセンブリ。
【請求項１８】
前記保持部は、前記管の前記入口において前記入口接続部を解除可能に固定するために相互接続構造を伴う第１の迅速接続を含み、前記管の前記出口において前記出口接続部を解除可能に固定するために相互接続構造を伴う第２の迅速接続を含む、請求項１４に記載の自動車ＳＣＲシステムのアセンブリ。
【請求項１９】
自動車選択的接触還元（ＳＣＲ）システムのセンサ保持部であって、前記保持部は、
第１のＳＣＲラインから入る流体を受ける入口を有し、出る流体を第２のＳＣＲラインへ導く出口を有し、前記入口と前記出口との間の通路を有する管を備え、前記入口は、前記通路へ通じる第１の開口を有し、前記出口は前記通路へ通じる第２の開口を有し、前記保持部はさらに、
前記通路へアクセス可能な内部を有するチャンバを備え、前記内部はＳＣＲシステムのセンサを受け、前記チャンバは、前記通路において前記ＳＣＲシステムのセンサの一部を受けるために前記管の前記通路に対して開かれた開底部を有し、前記チャンバは前記内部へ通じる第３の開口を有し、前記保持部はさらに、
前記管に熱を放出するために前記管の少なくとも一部の周りに配置される抵抗線と、
前記第１の開口内において移動可能な部分を有する第１のリテーナと、 
前記第２の開口内において移動可能な部分を有する第２のリテーナと、
前記第３の開口内において移動可能な部分を有する第３のリテーナとを備える、センサ保持部。
【発明の詳細な説明】
【技術分野】
【０００１】
本開示は、自動車選択的接触還元（ＳＣＲ）システムに関し、より特定的にはＳＣＲラインアセンブリにおけるセンサの使用に関する。
【背景技術】
【０００２】
背景
ディーゼル機関を有する自動車には、エンジンの排気中の窒素酸化物（ＮＯｘ）の量を減らすために使用される選択的接触還元（ＳＣＲ）排気処理システムが多くの場合に設けられる。一般的に、ＳＣＲシステムにおいては、ＮＯｘを窒素および水に変換する化学反応を起こすために、尿素またはディーゼル排気流体（ＤＥＦ）などの還元剤がエンジン排気流に注入される。タンク内に保持される還元剤の特性を感知するために、尿素品質センサなどのセンサがＳＣＲシステムタンク内に設置される場合がある。尿素またはＤＥＦを還元剤として使用する場合に直面する１つの難点は、この還元剤が−１１℃周辺で凍結することから、タンク内に保存した場合に寒冷気候においてその特性を感知することが難しくなり得る点にある。
【発明の概要】
【課題を解決するための手段】
【０００３】
概要
本発明の局面に従えば、自動車選択的接触還元（ＳＣＲ）システムのセンサ保持部が提供される。保持部は、管と、チャンバと、リテーナとを含む。管は、第１のＳＣＲラインから入る流体を受ける入口を有するとともに、出る流体を第２のＳＣＲラインへ導く出口を有する。管は、入口と出口との間に延在する通路も有する。チャンバは、ＳＣＲシステムセンサを受けるための通路にアクセス可能な内部を有する。チャンバは、内部へ通じる開口を有する。リテーナは、チャンバの開口において移動可能な部分を有する。この部分が開口内において内部へ向けて移動すると、この部分はＳＣＲシステムのセンサに当接し、保持部内においてセンサを保持する。そして、この部分が内部から離れる方向へ移動すると、ＳＣＲシステムセンサが保持部から解除され得る。
【０００４】
本発明の他の局面に従えば、自動車選択的接触還元（ＳＣＲ）システムのアセンブリが提供される。アセンブリは、保持部と、入口接続部と、出口接続部と、第１のＳＣＲラインと、第２のＳＣＲラインとを含む。保持部は、管と、チャンバと、加熱要素とを含む。管は、入口と、出口と、入口と出口との間に延在する通路とを有する。チャンバは、通路にアクセス可能な内部を有し、内部はＳＣＲシステムセンサを受ける。加熱要素は、管の一部またはそれ以上に対して熱を放出する。入口接続部は、管の入口内に挿入され、出口接続部は管の出口内に挿入される。第１のＳＣＲラインは、入口接続部に接続され、第２のＳＣＲラインは、出口接続部に接続される。
【０００５】
本発明のさらに他の局面に従えば、自動車選択的接触還元（ＳＣＲ）システムのセンサ保持部が提供される。保持部は、管と、チャンバと、抵抗線と、第１のリテーナと、第２のリテーナと、第３のリテーナとを含む。管は、第１のＳＣＲラインから入る流体を受ける入口を有し、出る流体を第２のＳＣＲラインに導くために出口を有し、入口と出口との間に延在する通路を有する。入口は、通路に通じる第１の開口を有し、出口は、通路に通じる第２の開口を有する。チャンバは、通路にアクセス可能な内部を有する。内部は、ＳＣＲシステムのセンサを受ける。チャンバは、通路内においてＳＣＲシステムセンサの一部を受けるために、管の通路に対して開かれた開底部を有する。チャンバは、内部に通じる第３の開口をさらに有する。抵抗線は、管に対して熱を放出するために、管の一部またはそれ以上のまわりに配置される。第１のリテーナは、第１の開口内において移動することができる部分を有し、第２のリテーナは、第２の開口内において移動することができる部分を有し、第３のリテーナは、第３の開口内において移動することができる部分を有する。
【０００６】
本発明の１つ以上の好ましい例示的な実施形態が添付の図面と関連付けて以下に記載され、この図面においては同様の名称が同様の要素を示す。
【図面の簡単な説明】
【０００７】
【図１】自動車選択的接触還元（ＳＣＲ）システムのアセンブリの一実施形態を示す断面図である。
【図２】図１のＳＣＲシステムのアセンブリとともに使用され得る自動車ＳＣＲシステムのセンサ保持部の一実施形態を示す斜視図である。
【図３】図２のＳＣＲシステムのセンサ保持部を示す側面図である。
【図４】図２の４−４線に沿ったＳＣＲシステムのセンサ保持部を示す断面図である。
【図５】図４の５−５線に沿ったＳＣＲシステムのセンサ保持部を示す断面図である。
【発明を実施するための形態】
【０００８】
好ましい実施形態についての詳細な説明
図面を参照すると、図１から図５は、ＳＣＲ排気処理システムのアセンブリ１２において使用される、センサマニホールドとも呼ばれる自動車選択的接触還元（ＳＣＲ）システムのセンサ保持部１０の実施形態を示す。センサ保持部１０は、迅速接続機能を有し得て、これにより、尿素品質センサなどのセンサ１４がより容易にセンサ保持部内に挿入されてそこで保持され得るとともに、点検および交換のためにセンサ保持部から解除されて取り外され得る。センサ保持部１０は、ＳＣＲシステムのタンクの下流かつＳＣＲシステムの投与注入部の上流のＳＣＲシステムのアセンブリ１２において直列に（供給ラインまたは戻りライン）に置かれ、これによってＳＣＲシステムのアセンブリにおける改造が容易となり得て、ＳＣＲシステムのタンクにおける既知の設置方法と比較して複雑さが低減され得る。寒冷気候における使用のために、保持部を通過する尿素などの還元剤に熱を放射するためにセンサ保持部１０の周りに１つ以上の抵抗線が配置され得る。尿素を還元剤とし、尿素品質センサを有するものとして記載されているが、センサ保持部１０は他の還元剤および他のタイプのセンサとともに使用され得る。
【０００９】
ＳＣＲシステムのアセンブリ１２は、尿素タンクと尿素投与注入部との間の少なくとも途中において、加圧尿素流体を運ぶ。ＳＣＲシステムのアセンブリ１２は、他の考えられるものの中から車両における特定の用途に応じて、異なる設計、構成、および構成部品を有し得る。図１の実施形態において、たとえば、ＳＣＲシステムのアセンブリ１２は、センサ保持部１０と、第１のＳＣＲライン１６と、入口接続部１８と、第２のＳＣＲライン２０と、出口接続部２２と、カバー２４とを含む。第１のＳＣＲライン１６、または尿素ラインは、尿素タンクからセンサ保持部１０へ尿素流体を運ぶ。センサ保持部１０とは反対側の端部において、第１のＳＣＲライン１６は、尿素タンクへの接続を容易にするために結合部に嵌合され得る。軸方向および長手方向の範囲に沿って、第１のＳＣＲライン１６は、そこを通過する尿素流体に対して抵抗加熱によって熱を放出するために、その外表面に巻かれた、またはそれ以外の方法で外表面に配置される１つ以上の抵抗線を有し得る。終端２６において、第１のＳＣＲライン１６は、入口接続部１８に接続される。さらに図１を参照すると、入口接続部１８は、第１のＳＣＲライン１６とセンサ保持部１０との間の液密接続を容易にする。第１のＳＣＲライン１６は、第１の端部２８にしっかりと挿入され（たとえば、圧入）、入口接続部１８の第２の端部３０は、センサ保持部１０に挿入される。第２の端部３０は、勾配部分を有し得て、封止のためにガスケット３２が設けられ得る。第１のＳＣＲライン１６からセンサ保持部１０へ尿素流体を運ぶために、通路３４が第１および第２の端部２８，３０の間に延在する。さらに、入口接続部１８は、１つ以上の任意の抵抗線の配置を支持するために外表面から延在する１つ以上のリブ３６を有し得て、入口接続部は、以下に記載のように入口リテーナの挿入を受けるために第１の溝３８と第２の溝４０とを有し得る。
【００１０】
同様に、第２のＳＣＲライン２０または尿素ラインは、センサ保持部１０から投与注入部へ尿素流体を運ぶ。センサ保持部１０とは反対側の端部において、第２のＳＣＲライン２０は、投与注入部への接続を容易にするために結合部と嵌合され得る。軸方向および長手方向の範囲に沿って、第２のＳＣＲライン２０は、そこを通過する尿素流体に対する抵抗加熱によって熱を放出するために、その外表面に巻かれる、または他の方法によって配置される１つ以上の抵抗線を有し得る。終端４２において、第２のＳＣＲライン２０は、出口接続部２２に接続される。出口接続部２２は、第２のＳＣＲライン２０とセンサ保持部１０との間の液密接続を容易にする。第２のＳＣＲライン２０は、第１の端部４４にしっかりと挿入され（たとえば、圧入）、出口接続部２２の第２の端部４６は、センサ保持部１０に挿入される。第２の端部４６は、勾配部分を有し得て、ガスケット４８が封止のために設けられ得る。センサ保持部１０から第２のＳＣＲライン２０へ尿素流体を運ぶために、通路５０は、第１および第２の端部４４，４６の間に延在する。さらに、出口接続部２２は、１つ以上の任意の抵抗線の配置を支持するために外表面から延在する１つ以上のリブ５２を有し得て、出口接続部は、以下に記載のように出口リテーナの挿入を受けるために第１の溝５４と第２の溝５６とを有し得る。また、さらに図１を参照すると、カバー２４は、センサ保持部１０の一部、入口接続部１８の全体、および出口接続部２２の全体を囲って保護する。また、カバー２４は、第１のＳＣＲライン１６の終端２６および第２のＳＣＲライン２０の終端４２を囲って保護する。柔軟性のために、カバー２４は、ゴムまたは他の柔軟な材料からなり得る。
【００１１】
ＳＣＲシステムのセンサ保持部１０は、第１および第２のＳＣＲライン１６，２０と接続し、センサ保持部ならびに第１および第２のＳＣＲラインの間を通過する尿素流体の品質を測定する位置に尿素品質センサ１４を保持する。センサ保持部１０は、他の考えられるものの中で、ＳＣＲシステムアセンブリ１２における位置ならびにセンサ１４のタイプおよび構成に応じて、異なる設計、構成、および構成部品を有し得る。図１から図５の実施形態において、センサ保持部１０は、ＰＡ１２ ＧＦ５０などのプラスチック材料から一体的になり、センサ保持部は、管５８と、チャンバ６０と、リテーナ６２と、１つ以上の抵抗線６４とを含む。図２から図４を参照すると、管５８は、入口接続部１８の挿入を受け、入口接続部の勾配部分に対応する径方向に減少した部分を有する入口６６を有する。入口６６は、入口リテーナ７２の一部を受けるために、特に入口リテーナの第１および第２の脚部をそれぞれ受けるために、その壁に規定される第１の開口６８と第２の開口７０とを有する。ひとたび第１および第２の開口６８，７０を通って移動すると、第１および第２の脚部は、それぞれ入口接続部１８の第１および第２の溝３８，４０にそれぞれ受けられる。脚部、開口６８および７０、溝３８および４０、ならびにこれらの相互作用により、センサ保持部１０と入口接続部１８との間に迅速接続機能が付与される。より永続的な接続のために、脚部、開口６８および７０、ならびに溝３８および４０において入口６６に対して成形材料が被せられ得る。
【００１２】
同様に、管５８は、出口接続部２２の挿入を受け、出口接続部の勾配部分に対応するように径方向に減少した部分を有する出口７４を有する。出口７４は、出口リテーナ７９の一部を受けるために、特に出口リテーナの第１および第２の脚部をそれぞれ受けるためにその壁に規定される第１の開口７６と第２の開口７８とを有する。ひとたび第１および第２の開口７６，７８を通って移動すると、第１および第２の脚部は、出口接続部２２の第１および第２の溝５４，５６においてそれぞれ受けられる。脚部、開口７６および７８、溝５４および５６、ならびにこれらの相互作用により、センサ保持部１０と出口接続部２２との間に迅速接続機能が付与される。より永続的な接続のために、脚部、開口７６および７８、ならびに溝５４および５６において出口７４に成形材料が被せられ得る。
【００１３】
図１および図４を参照すると、管５８の通路８０は、入口６６と出口７４との間を延在し、その間で尿素流体を運ぶ。通路８０は、入口および出口接続部１８，２２の通路３４，５０と直接的に流体連通する。図１に示されるように、通路８０は、チャンバ６０に対して開かれてアクセス可能であり、尿素品質センサ１４の測定先端部は、尿素流体の特性を測定または感知するために、通過する尿素流体内に垂下または導入され得る。図面の実施形態において、管５８は、長手方向の範囲において形成されるほぼ垂直な湾曲部８２を有する。湾曲部８２は、通路８０がチャンバ６０に対して開かれる位置の下流に配置される。ここで図１から図４を参照すると、管５８は、抵抗線６４の配置を支持するために第１のリブ８４と第２のリブ８６とを有し得る。第１のリブ８４は、入口６６に隣接する管５８の外表面の周りを周方向に延在する連続的ならせん状の延在部であり得る、または他の構造および配置を有し得る。同様に、第２のリブ８６は、出口７４に隣接する管５８の外表面の周りを周方向に延在する連続的ならせん状の延在部であり得る、または他の構造および配置を有し得る。
【００１４】
チャンバ６０は、尿素品質センサ１４の挿入を受ける。チャンバ６０は、考えられる他のものの中で、センサ１４のタイプおよび構造に応じて、異なる設計、構成、および構成部品を有し得る。図１から図５の実施形態において、チャンバ６０は、内部９０を規定するチャンバ壁８８を有する。内部９０は、尿素品質センサ１４の挿入に適合し、センサの形状に対応する空間を提供し、これによって異なるセンサのための異なる空間および形状が提供され得る。チャンバ壁８８は、尿素品質センサ１４を適切に収容するための一連の径方向に減少した部分を有する内表面９２を有する。チャンバ６０における尿素品質センサのガイドおよび案内を補助するために、第１および第２のスロット９４，９６が内表面９２に設けられ、センサの対応する部分または構造を受ける。チャンバ６０は、開上部９８と、尿素品質センサ１４の測定先端部が垂下し、通過する尿素流体内へ導入することができるように管５８の通路８０に対して開かれてアクセス可能な開底部１００とを有する（図１に示される）。さらに、第１および第２の開口１０２，１０４がチャンバ壁８８に規定され、チャンバ壁を完全に貫通して内部９０へ導かれる。第１および第２の開口１０２，１０４は、リテーナ６２と相互作用し、以下により詳細に記載されるように、センサ保持部１０と尿素品質センサ１４との間に迅速接続機能を付与する。また、外表面１０６において、第１および第２の凹部１０８，１１０がリテーナ６２における収容のために設けられ、第１および第２のカバー１１２，１１４がリテーナの一部を隠すために設けられる。
【００１５】
リテーナ６２は、チャンバ６０と相互作用し、尿素品質センサ１４がセンサ保持部１０に容易に挿入されて保持され、その後に点検および交換のためにセンサ保持部を解除および取り外しできるように、迅速接続機能を付与する。リテーナ６２は、チャンバ６０の構成および設計、ならびにセンサ１４のタイプおよび構成に応じて、考えられる他のものの中から異なる設計、構成、および構成部品を有することができる。図２の実施形態において、リテーナ６２は、内方向に付勢され、第１の脚部１１６と、第２の脚部１１８と、これらの間に延在するブリッジ部１２０とを有する一体のステンレス鋼ばねである。第１および第２の脚部１１６，１１８は、形状およびサイズが実質的に同様であり得る。使用時の第１の位置において、リテーナ６２は幾分緩くチャンバ６０によって担持され、第１の脚部１１６の端部は第１の凹部１０８に収容され、第２の脚部１１８の端部は第２の凹部１１０に収容される（図２において破線で示される）。ここで、ブリッジ部１２０は、外部からユーザによって点検可能かつアクセス可能であり、第１および第２の脚部１１６，１１８は、内部９０の外側かつ第１および第２の開口１０２，１０４の外側に配置される。
【００１６】
第２の位置に持ってくるために、ブリッジ１２０は、内部９０の方向、および一対のフランジ１２２，１２４の間でブリッジが当接することのできる外表面１０６の方向へ移動され得る。フランジ１２２，１２４は、リテーナ６２が第２の位置にある時にブリッジ１２０が不意に外れないように補助する。同時に、第１および第２の脚部１１６，１１８は、内部９０へ向けて移動され、脚部が移動して摺動するにつれて外表面１０６に重みを加える。第１および第２の脚部１１６，１１８は、それぞれ第１および第２の開口１０２，１０４を通って内部９０に移動する（図２において実線で示される）。ここで第１および第２の脚部１１６，１１８の端部は、それぞれ概ね第１および第２のカバー１１２の下方に配置される。脚部１１６，１１８および開口１０２，１０４は、迅速接続機能をもたらす。たとえば、尿素品質センサ１４をセンサ保持部１０へ挿入するために、リテーナ６２が第１の位置に持ってこられ、センサがチャンバ６０の内側に配置され得る。尿素品質センサ１４をチャンバ６０内に保持するために、リテーナ６２が第２の位置に持ってこられ、第１および第２の脚部１１６，１１８が、第１および第２の開口１０２，１０４を通り、凹部へ移動する、またはセンサのエッジ部に対して移動する。尿素品質センサ１４は、これによってセンサ保持部１０内に固定され、チャンバ６０の離脱が防止される。リテーナ６２とは別に他の接続技術が必要とならないように、尿素品質センサ１４とチャンバ６０との間で１つ以上のガスケットによる締まり嵌めが行なわれ得る。逆に、センサ保持部１０から尿素品質センサ１４を解除するために、リテーナ６２は第１の位置に戻され、センサがチャンバ６０から取り外され得る。
【００１７】
抵抗線６４は、抵抗加熱によって適切な量の熱を直接的に管５８に放出し、管を通過する尿素流体に対して間接的に熱を放出する。熱は、管５８を通る流れおよび尿素品質センサ１４による感知のための適切な温度に尿素流体が確実に達するよう補助する。図１の実施形態において、抵抗線６４は、管５８の周り、ならびに第１および第２のリブ８４，８６の周りに巻かれる銅線であり得る。抵抗線６４は、第１および第２のリブ８４，８６の周りに巻かれる単一の線であり得る、または第１および第２のリブの周りに巻かれる別個の異なる線であり得る。抵抗線６４に電流を付与して熱を発生させるために、線は自動車制御ユニットなどの電子制御ユニット（ＥＣＵ）または他の装置に対して電気的に結合され得る。抵抗線についてのこの記載は、上述の第１のＳＣＲライン１６の抵抗線、入口接続部１８の抵抗線、第２のＳＣＲライン２０の抵抗線、および出口接続部２２の抵抗線にも適用される。
【００１８】
図面に示されない他の実施形態において、ＳＣＲシステムのアセンブリ１２およびＳＣＲシステムのセンサ保持部１０は、異なる設計、構成、および構成部品を有し得る。たとえば、センサ保持部の管は、湾曲部を有する必要はなく、代わりに一方向とすることができる、または合計で３つの入口および出口を有するＴ字形状を有し得る。抵抗線は、センサ保持部に設けられる必要はなく、熱放出機能は抵抗線以外の加熱要素によって付与され得る。チャンバとリテーナとの間の迅速接続機能は、リテーナを伴わない方法を含む異なる方法で付与され得る。たとえば、バルブと係合する、またはバルブの凹部に受けられる、相互接続もしくは相互係合構造を伴う迅速接続、バルブの構造または一部を受けるように凹部を伴う迅速接続、またはスナップ嵌合動作もしくは捻り係止動作による相互係止を伴う迅速接続などがある。同様に、管の入口および出口ならびにそれぞれの入口接続部および出口接続部の間の迅速接続機能を付与する必要はなく、上に記載される方法など、他の方法によって付与されてもよい。
【００１９】
上述の記載は、本発明の１つ以上の好ましい例示的な実施形態についての記載であることが理解される。本発明は、本明細書に開示される特定の実施形態に限定されるものではなく、以下の請求項のみによって規定される。さらに、上述の記載に含まれる記述は、特定の実施形態に関連するものであって、発明の範囲に対する限定、または用語もしくは語句が明示的に上で規定される場合を除いて、請求項において使用される用語の定義に対する限定として解釈されるものではない。様々な他の実施形態、ならびに開示される実施形態に対する様々な変形および変更は、当業者にとって明らかなものとなる。全てのこのような他の実施形態、変形、および変更は、添付の請求項の範囲内に入ることが意図される。
【００２０】
本明細書および請求項において使用される、「たとえば（for example）」、「例として（for instance）」、「など（such as）」、および「のような（like）」という用語、「備える（comprising）」、「有する（having）」、および「含む（including）」という動詞、ならびにこれらの他の動詞の形態は、列挙される１つ以上の構成部品または他の物と併せて使用される場合、各々はオープンエンド形式として解釈され、これは列挙されたものが他の追加の構成部品または物を排除するものではないと考慮することを意味する。他の用語は、異なる解釈を必要とする文脈において使用されない限り、最も広い合理的な意味を用いて解釈される。
【図１】
2015515567.tif 000003
【図２】
2015515567.tif 000004
【図３】
2015515567.tif 000005
【図４】
2015515567.tif 000006
【図５】
2015515567.tif 000007
【国際調査報告】
2015515567.tif 000008
2015515567.tif 000009
2015515567.tif 000010